(57)【要約】    【課題】  予約記録に係るコンテンツを所望の方針で携帯再生装置に自動的に転送できるようにする。    【解決手段】  録画装置１は、予約情報に基づいて録画されたテレビジョン番組のコンテンツを携帯再生装置２に送信するための送信方針情報が設定されると、録画装置１に携帯再生装置が接続された際に、その送信方針情報に従って前記コンテンツを携帯再生装置２に送信する。【選択図】      図５
2006197512.tif 000002
【特許請求の範囲】
【請求項１】
所望のコンテンツを予約情報に基づいて記録媒体に記録する機能を有する記録装置であって、
予約情報に基づいて前記記録媒体に記録されたコンテンツを携帯再生装置に送信するための送信方針情報を設定する設定手段と、
前記記録装置に前記携帯再生装置が接続された際に、前記設定手段により設定された送信方針情報に従って前記コンテンツを当該携帯再生装置に送信する送信手段と、
を有することを特徴とする記録装置。
【請求項２】
前記設定手段は、前記送信方針情報を予約情報の一部として設定することを特徴とする請求項１に記載の記録装置。
【請求項３】
前記設定手段は、前記送信方針情報として、前記携帯再生装置で前記コンテンツを視聴する旨の情報、及び定期的に提供されるコンテンツについて複数回のコンテンツの記録が予約された場合において、前記携帯再生装置のメモリの残容量が少ないときに前回分のコンテンツに対して上書きすることとなっても今回分のコンテンツを送信するか否かを示す上書き可否情報を設定することを特徴とする請求項１又は２に記載の記録装置。
【請求項４】
前記設定手段は、前記送信方針情報として、送信の優先度を設定することを特徴とする請求項１〜３の何れかに記載の記録装置。
【請求項５】
前記記録装置は、予約情報に基づいて記録されたコンテンツについて、前記設定手段により設定された送信方針情報と共に、前記携帯再生装置に格納されているか否か、視聴済みか否かを示す情報を管理する管理手段を有することを特徴とする請求項１〜４の何れかに記載の記録装置。
【請求項６】
前記管理手段は、前記携帯再生装置が前記記録装置に接続された際に該携帯再生装置から送信されてくる視聴済みのコンテンツの情報に基づいて前記視聴済みか否かを示す情報を更新することを特徴とする請求項５に記載の記録装置。
【請求項７】
前記携帯再生装置は、前記視聴済みのコンテンツの情報を前記記録装置に送信した場合、当該携帯再生装置のメモリから当該コンテンツを消去することを特徴とする請求項６に記載の記録装置。
【請求項８】
前記送信手段は、前記管理手段により前記視聴済みか否かを示す情報の更新処理が実行された後に、当該管理手段による管理情報、及び前記送信方針情報に基づいて送信候補のコンテンツを選択することを特徴とする請求項６又は７に記載の記録装置。
【請求項９】
前記送信手段は、前記管理手段による管理情報が視聴済みではなく、且つ前記携帯再生装置に格納さていないコンテンツのうち優先度の高いものから順に、送信候補とするか否かを判定していくことを特徴とする請求項５〜８の何れかに記載の記録装置。
【請求項１０】
前記送信手段は、前記判定を行っていく際に判定対象のコンテンツの前記上書き可否情報が上書き可となっていた場合は、当該コンテンツと同一の番組の複数のコンテンツのうち最新の提供分のコンテンツについてだけ送信候補とするか否かを判定し、前記上書き可否情報が上書き否となっていた場合は、古いものから順に送信候補とするか否かを判定していくことを特徴とする請求項９に記載の記録装置。
【請求項１１】
前記送信手段は、送信候補とすると判定したコンテンツの容量、優先度、上書き可否等の情報を前記携帯再生装置に通知することを特徴とする請求項８〜１０の何れかに記載の記録装置。
【請求項１２】
前記送信手段は、前記コンテンツの情報の通知に応答して前記携帯再生装置から当該コンテンツを格納可能である旨の返信を受けた場合に、当該コンテンツを該携帯再生装置に送信することを特徴とする請求項８〜１１の何れかに記載の記録装置。
【請求項１３】
前記携帯再生装置は、記録装置から通知された前記送信候補のコンテンツの情報に基づいて、当該携帯再生装置のメモリに当該コンテンツを格納できないと判断した場合は、当該コンテンツよりも優先度が低い当該携帯再生装置のメモリ内のコンテンツを削除することを特徴とする請求項１１又は１２に記載の記録装置。
【請求項１４】
所望のコンテンツを予約情報に基づいて記録媒体に記録する機能を有する記録装置の制御方法であって、
予約情報に基づいて前記記録媒体に記録されたコンテンツを携帯再生装置に送信するための送信方針情報を設定する設定工程と、
前記記録装置に前記携帯再生装置が接続された際に、前記設定工程により設定された送信方針情報に従って前記コンテンツを当該携帯再生装置に送信する送信工程と、
を有することを特徴とする制御方法。
【請求項１５】
前記設定工程は、前記送信方針情報を予約情報の一部として設定することを特徴とする請求項１４に記載の制御方法。
【請求項１６】
前記設定工程は、前記送信方針情報として、前記携帯再生装置で前記コンテンツを視聴する旨の情報、及び定期的に提供されるコンテンツについて複数回のコンテンツの記録が予約された場合において、前記携帯再生装置のメモリの残容量が少ないときに前回分のコンテンツに対して上書きすることとなっても今回分のコンテンツを送信するか否かを示す上書き可否情報を設定することを特徴とする請求項１４又は１５に記載の制御方法。
【請求項１７】
前記設定工程は、前記送信方針情報として、送信の優先度を設定することを特徴とする請求項１４〜１６の何れかに記載の制御方法。
【請求項１８】
前記記録装置は、予約情報に基づいて記録されたコンテンツについて、前記設定工程により設定された送信方針情報と共に、前記携帯再生装置に格納されているか否か、視聴済みか否かを示す情報を管理する管理工程を有することを特徴とする請求項１４〜１７の何れかに記載の制御方法。
【請求項１９】
前記管理工程は、前記携帯再生装置が前記記録装置に接続された際に該携帯再生装置から送信されてくる視聴済みのコンテンツの情報に基づいて前記視聴済みか否かを示す情報を更新することを特徴とする請求項１８に記載の制御方法。
【請求項２０】
前記携帯再生装置は、前記視聴済みのコンテンツの情報を前記記録装置に送信した場合、当該携帯再生装置のメモリから当該コンテンツを消去することを特徴とする請求項１９に記載の制御方法。
【請求項２１】
前記送信工程は、前記管理工程により前記視聴済みか否かを示す情報の更新処理が実行された後に、当該管理工程による管理情報、及び前記送信方針情報に基づいて送信候補のコンテンツを選択することを特徴とする請求項１９又は２０に記載の制御方法。
【請求項２２】
前記送信工程は、前記管理工程による管理情報が視聴済みではなく、且つ前記携帯再生装置に格納さていないコンテンツのうち優先度の高いものから順に、送信候補とするか否かを判定していくことを特徴とする請求項１８〜２１の何れかに記載の制御方法。
【請求項２３】
前記送信工程は、前記判定を行っていく際に判定対象のコンテンツの前記上書き可否情報が上書き可となっていた場合は、当該コンテンツと同一の番組の複数のコンテンツのうち最新の提供分のコンテンツについてだけ送信候補とするか否かを判定し、前記上書き可否情報が上書き否となっていた場合は、古いものから順に送信候補とするか否かを判定していくことを特徴とする請求項２２に記載の制御方法。
【請求項２４】
前記送信工程は、送信候補とすると判定したコンテンツの容量、優先度、上書き可否等の情報を前記携帯再生装置に通知することを特徴とする請求項２１〜２３の何れかに記載の制御方法。
【請求項２５】
前記送信工程は、前記コンテンツの情報の通知に応答して前記携帯再生装置から当該コンテンツを格納可能である旨の返信を受けた場合に、当該コンテンツを該携帯再生装置に送信することを特徴とする請求項２１〜２４の何れかに記載の制御方法。
【請求項２６】
前記携帯再生装置は、記録装置から通知された前記送信候補のコンテンツの情報に基づいて、当該携帯再生装置のメモリに当該コンテンツを格納できないと判断した場合は、当該コンテンツよりも優先度が低い当該携帯再生装置のメモリ内のコンテンツを削除することを特徴とする請求項２４又は２５に記載の制御方法。
【請求項２７】
請求項１４〜２６の何れかに記載の制御方法を実行するプログラム。
【発明の詳細な説明】
【技術分野】
【０００１】
本発明は、ＴＶ番組等のコンテンツを予約記録する機能を有する記録装置等に関する。
【背景技術】
【０００２】
近年、動画・音声などのストリームデータのデジタル圧縮技術の進歩に伴い、動画・音声などのデジタルデータをハードディスク（ＨＤ）、ＤＶＤ、光磁気ディスク（ＭＯ）、ＳＤ、ＭＭＣ、ＣＦ、ＰＣカードなどに記録・再生する装置が実現可能となってきた。
【０００３】
一方、ＰＤＡ（携帯情報端末）などの携帯機器でも動画・音声の再生が可能となりつつあり、例えば、ＴＶ録画機能を持ったパーソナルコンピュータ等で録画したコンテンツを、ＣＦカードなどのリムーバブルメディア、またはＵＳＢなどの伝送媒体を介してＰＤＡに転送し、そのコンテンツを外出先で視聴するといったことも可能となってきた（例えば、特許文献１参照）。
【特許文献１】特開２００１−１４４６３７号公報
【発明の開示】
【発明が解決しようとする課題】
【０００４】
しかしながら、ＰＤＡのような携帯機器は、記憶容量が小さく、ＰＣのような据置き型の機器で録画したコンテンツを全て格納しておくことができないため、ユーザがコンテンツを選んで転送することとなる。この場合、従来は、据置き型機器で録画されたコンテンツのうちどのコンテンツを転送するかを指定する必要があった。
【０００５】
例えば、録画したＴＶ番組が連続ドラマなどの場合は、そのコンテンツを携帯機器で既に視聴したか否かを判断し、視聴済みであれば次回のコンテンツに入れ替える、ニュース番組等の定常的な番組であれば視聴の有無にかかわらず常に最新のニュース番組に入れ替える、定常的なコンテンツを転送した後に携帯機器のメモリ容量に余裕があれば映画番組などを転送する、或いは定常的なコンテンツよりも優先してスポーツ番組を転送する、といったことを全てユーザが判断して手動で行なわなければならなかった。
【０００６】
本発明は、このような背景の下になされたもので、予約記録に係るコンテンツを所望の方針で携帯再生装置に自動的に転送できるようにすることを目的とする。
【課題を解決するための手段】
【０００７】
上記目的を達成するため、本発明に係る記録装置は、所望のコンテンツを予約情報に基づいて記録媒体に記録する機能を有する記録装置であって、予約情報に基づいて前記記録媒体に記録されたコンテンツを携帯再生装置に送信するための送信方針情報を設定する設定手段と、前記記録装置に前記携帯再生装置が接続された際に、前記設定手段により設定された送信方針情報に従って前記コンテンツを当該携帯再生装置に送信する送信手段とを有することを特徴とする。
【発明の効果】
【０００８】
本発明によれば、予約情報に基づいて記録されたコンテンツを携帯再生装置に送信するための送信方針情報が設定されると、記録装置に携帯再生装置が接続された際に、その送信方針情報に従って前記コンテンツを携帯再生装置に送信するように構成したので、予約記録に係るコンテンツを所望の方針で携帯再生装置に自動的に転送することができる。
【発明を実施するための最良の形態】
【０００９】
以下、図面を参照して本発明の実施の形態を説明する。
【００１０】
［第１の実施形態］
図１は、本発明の第１の実施形態に係る記録装置の一例である録画装置の主要な構成要素を示すブロック図である。
【００１１】
図１において、１は本実施形態に係る記録装置の一例であり、ＴＶ番組の予約録画を行う機能を有する据え置き型の録画装置である。録画装置１には、ハードディスク装置を記録媒体として用いるＨＤＤレコーダ、ＤＶＤディスクを記録媒体として用いるＤＶＤレコーダ、磁気テープを記録媒体として用いるデジタルビデオレコーダ等を採用することができる。２は録画装置１で録画したＴＶ番組（コンテンツ）を再生する携帯再生装置、３は録画装置１と携帯再生装置２を接続してデータ通信を行うための通信ケーブルである。
【００１２】
１０１は録画装置１の後述の処理を実現するアプリケーションプログラムを実行するＣＰＵ、１０２は録画装置１の上記アプリケーションプログラムを格納するＲＯＭ、１０３はＣＰＵ１０１が上記アプリケーションプログラムを実行する際にワークエリア等として利用されるＲＡＭ、１０４は録画装置１でコンテンツを記録するためのハードディスク（ＨＤ）であり、ハードディスク１０４には、システムプログラムも格納されている。
【００１３】
１０５は録画装置１のシステムバス、１０６は携帯再生装置２と通信ケーブル３を介してＵＳＢ、ＩＥＥＥ１３９４等の規格に則ってデータ通信を行なう通信装置、１０７は録画されたコンテンツの音声を再生するためのスピーカ、１０８はスピーカ１０７にアナログ音声を出力するためのサウンドコントローラ、１０９はコンテンツの動画映像を再生するためのＣＲＴやＬＣＤなどのディスプレイ、１１０はディスプレイ１０９に画像を出力するビデオＲＡＭ等を内蔵したビデオコントローラ、１１１はコンテンツ指定、再生、停止、早送り、早戻しなどの操作信号、またＴＶ番組予約設定操作信号を入力するための入力デバイス、１１２はＴＶ放送を受信するチューナユニット、１１３はチューナユニット１１２で受信したデータをデジタルデータに変換するキャプチャユニットである。
【００１４】
２０１は携帯再生装置２の後述の処理を実現するアプリケーションプログラムを実行するＣＰＵ、２０２は携帯再生装置２の上記アプリケーションプログラムを格納するＲＯＭ、２０３はＣＰＵ２０１が上記アプリケーションプログラムを実行する際にワークエリア等として利用されるＲＡＭ、２０４は携帯再生装置２で再生用コンテンツを保存しておくハードディスク（ＨＤ）であり、ハードディスク２０４には、システムプログラムも格納されている。
【００１５】
２０５は携帯再生装置２のシステムバス、２０６は録画装置１と通信ケーブル３を介してＵＳＢ、ＩＥＥＥ１３９４等の規格に則ってデータ通信を行なう通信装置、２０７はコンテンツの音声を再生するためのヘッドホン、２０８はヘッドホン２０７にアナログ音声を出力するためのサウンドコントローラ、２０９はコンテンツの動画映像を再生するためのＬＣＤなどの小型ディスプレイ、２１０は小型ディスプレイ２０９に画像を出力するビデオＲＡＭ等を内蔵したビデオコントローラ、２１１はコンテンツ指定、再生、停止、早送り、早戻しなどの操作信号を入力するための入力デバイスである。
【００１６】
なお、録画装置１は、録画再生の専用装置である必要はなく、後述する本実施の形態に特有なアプリケーションプログラムを搭載したパーソナルコンピュータ（以下、ＰＣと称する）により構成することも可能である。また、録画装置１を専用装置の形態で実現した場合は、従来のビデオデッキなどと同様にＴＶやモニタ装置に接続し、このＴＶやモニタ装置にＮＴＳＣ方式などのビデオ信号で映像を出力して再生するように構成してもよい。
【００１７】
また、ＲＯＭ１０２、ＲＯＭ２０２にアプリケーションプログラムを格納するのではなく、ＨＤ１０４やＨＤ２０４などの２次記憶装置にアプリケーションプログラムを格納しておき、この２次記憶装置からＲＡＭ１０３、ＲＡＭ２０３にロードして実行する形態であってもよい。さらに、ＲＯＭ１０２、ＲＯＭ２０２に格納してあるアプリケーションプログラムをＲＡＭ１０３、ＲＡＭ２０３に展開してから実行する形態であっても構わない。
【００１８】
入力デバイス１１１，２１１は、装置本体に再生ボタン、停止ボタンのようなボタンデバイスを用意しても構わないし、リモコンやマウスのようなデバイスを用意し表示、メニューや操作パネルをディスプレイ１０９，２０９にするＧＵＩ（グラフィカルユーザインターフェース）で実現しても構わない。
【００１９】
録画装置１と携帯再生装置２との接続に関しては、ＲＳ２３２ＣやＵＳＢやＩＥＥＥ１３９４などの有線接続であってもＩｒＤＡやＢｌｕｅｔｏｏｔｈなどの無線接続であっても構わない。ただし、高速転送が可能で、有線接続の場合は電源を投入した状態のままでも通信ケーブル３を抜き差しできることが望ましい。また、録画装置１と携帯再生装置２を直接接続するのではなくクレードルを介して接続することも可能である。
【００２０】
また、携帯再生装置２のＨＤ２０４の代わりにフラッシュメモリなどの半導体メモリを用いることも可能である。また、ＨＤ１０４やＨＤ２０４は、ＰＣで一般的に用いられているＦＡＴファイルシステムでフォーマットされていても構わないし、ＦＡＴファイルシステム以外の例えば独自のファイルシステムであっても構わない。さらに、ＨＤ１０４やＨＤ２０４に格納するテータの構造は、複数のコンテンツや管理用の情報等を個別にアクセスできるのであればどのようなデータ構造であっても構わない。本実施の形態では、最も一般的な方式であるファイル名（パス名）でファイルを指定してアクセスするＦＡＴファイルシステムのようなファイルシステムを例として説明する。
【００２１】
また、ＨＤ１０４やＨＤ２０４に記録されるコンテンツデータは、一般的に用いられているＭＰＥＧ−１、ＭＰＥＧ−２、ＭＰＥＧ−４などのいずれの圧縮形式で圧縮されていてもよい。また、圧縮処理は、キャプチャユニット１１３によるハードウェア処理で行なっても、ＣＰＵ１０１，２０１によるソフトウェア処理で行なっても構わないし、伸張処理は、ビデオコントローラ１１０、ビデオコントローラ２１０によるハードウェア処理で行なっても、ＣＰＵ１０１，２０１によるソフトウェア処理で行なっても構わない。また、圧縮時のビットレートをパラメータとしてユーザ指定可能としても固定値であっても構わない。
【００２２】
また、本実施の形態では、録画装置１は自宅等の或る部屋に設置して利用し、携帯再生装置２は外出先または自宅内の録画装置１の設置部屋以外の場所で利用することを想定している。また、録画装置１にディスプレイ１０９、スピーカ１０７を装備し、録画装置１でもコンテンツを視聴可能としている。つまり、基本的には、録画装置１の近くにユーザが居るときは、録画装置１でコンテンツを視聴し、録画装置１の近くにユーザが居ないときは、携帯再生装置２でコンテンツを視聴するという利用形態を想定している。
【００２３】
ただし、携帯再生装置２でしかコンテンツを視聴しないという利用形態も可能であり、この場合は、録画装置１にディスプレイ１０９、ビデオコントローラ１１０、スピーカ１０７、サウンドコントローラ１０８を装備する必要はなく、表示装置としては録画予約設定用の液晶パネル等だけで十分となる。また、入力デバイス１１１がリモートコントローラ等で構成され、そのリモートコントローラ上に録画予約設定用の表示部が装備されているような場合には、録画装置１には表示装置を全く装備しなくてもよい。
【００２４】
本実施の形態では、録画装置１によりＴＶ番組の録画を予約する際に、そのＴＶ番組に係る各コンテンツを録画装置１から携帯再生装置２へ転送する転送条件を設定するようにしている。
【００２５】
従来のビデオデッキやＨＤ録画・再生機でＴＶ番組の録画予約を行なう場合は、「チャンネル」、「日付」、「時間」、「録画モード」のような項目に係る情報を設定していたが、本実施の形態では、更に、「視聴装置」、「オーバライト」、「優先度」という項目に係る情報を追加設定するようにしている（図２の録画予約管理テーブル参照）。なお、これらの項目の情報からなる予約を４〜８件程度設定できるのが一般的であるが、ここでは、予約件数を４件として説明する。
【００２６】
上記の「チャンネル」は、ＴＶ放送局のチャンネル番号を設定する項目、「日付」は、ＴＶ番組の放送日や放送曜日（例えば毎週火曜日、月曜日〜金曜日、月曜日と水曜日と金曜日等）を設定する項目、「時間」はＴＶ放送の時間帯（実際には録画の時間帯）を設定する項目、「録画モード」は高画質（短時間：１／２倍速等）、標準画質、低画質（長時間：３倍速等）等を設定する項目である。
【００２７】
また、「視聴装置」は、「録画装置１」、「携帯再生装置２」のどちらの装置でＴＶ番組（コンテンツ）を視聴するかを設定するための項目であり、この「視聴装置」の情報として「携帯再生装置２」を設定した場合に限り、当該コンテンツが携帯再生装置２に自動的に転送される。なお、前述のように本実施の形態では、録画装置１でも再生可能なので、「視聴装置」の情報として「携帯再生装置２」を設定した場合でも、録画装置１でも当該コンテンツを視聴することができる。
【００２８】
「オーバライト」は、携帯再生装置２のメモリ容量が小さいことを考慮して、一定の間隔で連続的に放送されるＴＶ番組（コンテンツ）について毎週月曜日、毎日、月曜日〜土曜日のように連続予約設定を行なった場合に、そのコンテンツについては、携帯再生装置２では、複数回の放送分の複数のコンテンツを保持することなく１回の放送分の１つのコンテンツだけを保持するようにするための項目である。
【００２９】
すなわち、「オーバライト」の項目の情報としては、「Ｙｅｓ」、「Ｎｏ」の何れかを設定することができ、録画装置１は、「Ｎｏ」が設定されている場合には、携帯再生装置２内に当該連続予約設定に係るＴＶ番組（コンテンツ）の前回分の未視聴のコンテンツが存在するときには、当該連続予約設定に係るＴＶ番組（コンテンツ）の次回分のコンテンツを携帯再生装置２に転送せず、携帯再生装置２上で当該前回分の未視聴のコンテンツ上に当該今回分のコンテンツが上書きされるのを回避する。この「Ｎｏ」の設定は、例えば連続ドラマなど、前回のコンテンツを視聴した後でなければ前回分のコンテンツの理解が困難になるようなＴＶ番組のコンテンツ適している。
【００３０】
一方、「オーバライト」の項目の情報として「Ｙｅｓ」が設定されている場合には、録画装置１は、携帯再生装置２内に前回分の未視聴のコンテンツが存在していたとしても、最新のコンテンツを携帯再生装置２に転送し、携帯再生装置２は、前回分の未視聴のコンテンツ上に最新のコンテンツを上書きする。この「Ｙｅｓ」の設定は、例えばニュース番組などに適している。
【００３１】
なお、「Ｙｅｓ」を設定した場合、最新の何回分のコンテンツを残しておくかを設定するようにしてもよい。例えば「２回」を設定した場合には、常に最新の２回分のコンテンツが携帯再生装置２に存在するように転送処理が行なわれる。本実施の形態では、説明を簡単にするため、この回数を「１回」と固定した場合を例として説明する。
【００３２】
「優先度」は、携帯再生装置２のメモリ容量が小さいことを考慮して、所定数のコンテンツを携帯再生装置２で保持するようにするための項目であり、本実施の形態では予約件数を４件としているので優先度も「１」〜「４」の４段階とし、その優先度は、１＞２＞３＞４の順に高くなっている。この場合、例えば、スポーツ中継番組やニュース番組のように即時性が重要なコンテンツは高い優先度、週に１回放送するドラマは中程度の優先度、不定期の映画番組は低い優先度を設定するといったような設定態様が考えられる。
【００３３】
録画装置１は、上記の項目の録画予約情報を管理するための図２に示した録画予約管理テーブルを保持している。この録画予約管理テーブルは、電源がＯＦＦされても録画予約情報が消失しなうように、ＨＤ１０４上に形成された例えば「ｓｃｈｅｄｕｌｅ．ｔａｂ」というファイル名のファイルに格納しておくものとする。
【００３４】
また、録画装置１では、録画予約管理テーブルの他に、録画済みのコンテンツを管理するための図３に示したコンテンツ管理テーブルを保持している。このコンテンツ管理テーブルは、電源がＯＦＦされてもその管理情報が消失しなうように、ＨＤ１０４上に形成された例えば「ｃｏｎｔｅｎｔｓ．ｔａｂ」というファイル名のファイルに格納しておくものとする。
【００３５】
このコンテンツ管理テーブルでは、前述の「日付」の項目の情報として「毎週Ｘ曜日」、「毎日」、「月〜土」、「月〜金」のように連続予約設定がなされたコンテンツに関しては、複数回のコンテンツが録画されていても纏めて１つのエントリで管理している。各エントリには録画予約時に設定した各予約情報などが格納されている。また、個々のコンテンツの情報に関しては、別のコンテンツ情報ファイルでそれぞれ管理されており、そのファイル名が各エントリに格納されている。
【００３６】
図３は、コンテンツ管理テーブルの各エントリに格納される情報を示している。図３に示したコンテンツ管理テーブルの「エントリ番号」の項目には、個々のエントリを特定するためのユニークな番号が自動的に設定される。「チャンネル」、「日付」、「時間」、「視聴装置」、「オーバライト」、「優先度」の項目には、それぞれ図２の録画予約管理テーブルの同一名勝の項目と同じ情報が格納される。
【００３７】
「コンテンツ情報ファイル名」の項目には、コンテンツ情報ファイルをリンクするための情報が格納される。この「コンテンツ情報ファイル名」は、それぞれユニークなものにするため、録画開始日時などから自動的に生成する。例えば、２００１年０９月１１日の１３：００から録画開始したコンテンツであれば、「２００１０９１１１３００．ｉｎｆ」といったファイル名にすればよい。また、以下の説明中では、前述のファイル名の拡張子（．ｉｎｆ）を除いた名前「２００１０９１１１３００」をコンテンツ名と呼ぶことにする。
【００３８】
コンテンツ情報ファイルには、「コンテンツ格納場所」、「視聴終了情報」、「コンテンツ情報ファイル名」の各項目の情報が格納されている（図示省略）。「コンテンツ格納場所」は、現在のコンテンツ格納場所を示す項目であり、「録画装置１」又は「録画装置１と携帯再生装置２」の情報が格納される。「視聴終了状況」は、視聴が終了したか否かを示す項目であり、「視聴終了」、又は「視聴未終了」の情報が格納される。「コンテンツ情報ファイル名」の項目の情報としては、連続設定で録画されたコンテンツの場合、複数個のコンテンツをリンクして管理する。そのため、必要な場合は次回のコンテンツ情報ファイル名が「コンテンツ情報ファイル名」の項目の情報として格納される。図３のコンテンツ管理テーブルの欄外は、このリンク状態の例を概念的に示している。
【００３９】
コンテンツの実体となるＭＰＥＧ−１、ＭＰＥＧ−２に係る圧縮データもファイル（コンテンツデータファイル）として管理し、ファイル名はコンテンツ情報ファイルと同様に録画開始日時などから自動的に生成して、コンテンツ情報ファイルと一対一に対応付ける。例えば、コンテンツ情報ファイル名が「２００１０９１１１３００．ｉｎｆ」であればコンテンツデータファイル名は「２００１０９１１１３００．ｄａｔ」となる。また、本実施の形態では、コンテンツデータファイルが録画装置１、携帯再生装置２の何れに存在する場合も、同じコンテンツデータファイル名で管理している。
【００４０】
一方、携帯再生装置２でも、録画装置１から転送され現在格納されているコンテンツを管理するために、録画装置１と同様に、コンテンツ情報ファイルが必要となる。ただし、携帯再生装置２では、携帯再生装置２の中（実際にはＨＤ２０４）に格納されているコンテンツのみを管理すればよいので、携帯再生装置２に格納されているコンテンツデータファイルに対するコンテンツ情報ファイルだけで十分となり、コンテンツ管理テーブルは不要となる。
【００４１】
携帯再生装置２で管理するコンテンツ情報ファイルに関しては、コンテンツデータファイル名と同様に、録画装置１と同じ名前で管理する。ただし、必要となる項目が録画装置１のコンテンツ情報ファイルとは異なり、リンク元のコンテンツ管理テーブルのエントリ番号を示す項目である「エントリ番号」、コンテンツの優先度を示す項目である「優先度」、視聴したか否かを示す項目である「視聴終了状況」の３つとなる。「優先度」の項目には、前述の１〜４に優先度情報が格納され、「視聴終了状況」の項目には、「視聴終了」、又は「視聴未終了」の情報が格納される。
【００４２】
次に、携帯再生装置２を録画装置１に接続したときの処理を説明する。なお、携帯再生装置２を録画装置１に接続した場合に自動的に双方の電源が入り、双方が起動するようにすることも可能である。
【００４３】
携帯再生装置２を録画装置１に接続して双方が起動されると、まず、録画装置１と携帯再生装置２の各コンテンツの管理情報を最新の状態に更新する更新処理を行ない、次にコンテンツの自動転送処理を行なう。
【００４４】
図４は、コンテンツの管理情報の更新処理を示すフローチャートである。携帯再生装置２は、携帯再生装置２のＨＤ２０４に格納されている複数のコンテンツ情報ファイルを順番に読み出し、「視聴終了状況」が「視聴終了」になっているコンテンツを１つずつ選択していく（ステップＳ１０１）。携帯再生装置２は、「視聴終了」になっているコンテンツが見つかったか否かを判別し（ステップＳ１０２）、「視聴終了」になっているコンテンツが見つからなければ、コンテンツの管理情報の更新処理を終了する。
【００４５】
一方、「視聴終了」になっているコンテンツが携帯再生装置２上で見つかった場合は、携帯再生装置２は、その「視聴終了」となっているコンテンツのコンテンツ名（厳密には、コンテンツファイル名を指す、以下、同様）を録画装置１に通知する（ステップＳ１０３）。
【００４６】
コンテンツ名の通知を受けた録画装置１は、録画装置１のＨＤ１０４に格納されている通知に係るコンテンツ名に対応するコンテンツ情報ファイルの情報を更新する。具体的には、通知されたコンテンツ名に対応するコンテンツは、携帯再生装置２で視聴が終了して後述のステップＳ１０３で携帯再生装置２から削除されることを意味しているので、対応するコンテンツ情報ファイルの「コンテンツ格納場所」、及び「視聴終了状況」の項目の情報を更新する。この際、「コンテンツ格納場所」の情報が「録画装置１と携帯再生装置２」となっていれば「録画装置１」に更新し、「視聴終了状況」の情報が「視聴未終了」になっていれば「視聴終了」に更新する。
【００４７】
携帯再生装置２は、ステップＳ１０３の通知を行った後、この通知に係るコンテンツのコンテンツ情報ファイル、コンテンツデータファイルを削除し（ステップＳ１０５）、ステップＳ１０１に戻り、次の「視聴終了」になっているコンテンツを選択する。
【００４８】
次に、コンテンツの自動転送処理を図５のフローチャートを用いて説明する。録画装置１は、携帯再生装置２への転送候補のコンテンツをＨＤ１０４上で検索する（ステップＳ２０１）。この場合、録画装置１は、コンテンツ管理テーブルの各エントリを調べ、「視聴装置」の情報が「携帯再生装置２」となっているエントリを「優先度」の情報が高いものから順に転送候補とするか否かを判定していく。そして、対象エントリからリンクされているコンテンツ情報ファイルを調査する。この際、エントリの「オーバライト」の情報が「Ｙｅｓ」の場合には、リンクの末尾のものつまり最新のコンテンツのコンテンツ情報ファイルだけを調査し、その最新のコンテンツの「コンテンツ格納場所」の情報が「録画装置１」となっており、且つ「視聴終了状況」が「視聴未終了」になっていれば、そのコンテンツを携帯再生装置２への転送候補として選択する。一方、エントリの「オーバライト」の情報が「Ｎｏ」の場合には、リンクされているコンテンツ情報ファイルを、リンクされている順に、つまり古いものから順に調べ、そのコンテンツの「コンテンツ格納場所」の情報が「録画装置１」となっており、且つ「視聴終了状況」が「視聴未終了」になっているものを携帯再生装置２への転送候補として選択していく。
【００４９】
次に、録画装置１は、転送候補のコンテンツが見つかったか否かを判別し（ステップＳ２０２）、転送候補のコンテンツが見つからなかった場合には、自動転送処理を終了する。
【００５０】
一方、転送候補のコンテンツが見つかった場合は、録画装置１は、その転送候補のコンテンツに関する情報として、コンテンツデータファイルのサイズと共に、「エントリ番号」、「優先度」、「オーバライト」の項目の情報を携帯再生装置２に通知し、携帯再生装置２からの返信を待つ（ステップＳ２０３）。
【００５１】
携帯再生装置２は、転送候補のコンテンツに関する情報の通知を受けると、転送候補のコンテンツをＨＤ２０４に格納可能か否かを判別する（ステップＳ２０４）。この場合、「オーバライト」の項目の情報が「Ｙｅｓ」だった場合には、ＨＤ２０４上のコンテンツ情報ファイルを順に調べ、その「エントリ番号」の項目の情報が通知に係るエントリ番号と一致するコンテンツを検索する。「エントリ番号」の項目の情報が通知に係るエントリ番号と一致するコンテンツが見つかった場合には、そのコンテンツのコンテンツ情報ファイル、コンテンツデータファイルを上書き処理のために削除する。この場合、ファイルを削除したことにより空いた領域に転送候補のコンテンツを格納することが可能となるので、携帯再生装置２は、「格納可能」である旨を録画装置１に返信する。
【００５２】
一方、「オーバライト」の項目の情報が「Ｎｏ」であった場合には、携帯再生装置２は、携帯再生装置２の現在のＨＤ２０１の残容量と録画装置１から通知されたコンテンツデータファイルのサイズとを比較し、残容量の方が大きければ「格納可能」である旨を録画装置１に通知する。残容量の方が小さければ、その残容量と録画装置１から通知されたコンテンツデータファイルのサイズとに基づいて以下の領域確保処理を行ない、その処理結果を録画装置１に返信する。
【００５３】
すなわち、携帯再生装置２は、携帯再生装置２のＨＤ２０４上のコンテンツ情報ファイルを順に調べ、録画装置１から通知された優先度よりも低い優先度のコンテンツのコンテンツデータファイルのサイズを優先度の低いものから順番に合計していき、その合計のファイルサイズが通知されたコンテンツデータファイルのサイズよりも大きくなった時点で、それら合計処理に係る優先度の低いコンテンツデータファイルおよびコンテンツ情報ファイルを削除する。この場合、ファイルを削除したことにより空いた領域に転送候補のコンテンツを格納することが可能となるので、携帯再生装置２は、「格納可能」である旨を録画装置１に返信する。
【００５４】
しかし、録画装置１から通知された優先度よりも低い優先度の全てのコンテンツのコンテンツデータファイルのサイズを合計しても、通知されたコンテンツデータファイルのサイズよりも小さかった場合には、携帯再生装置２は、上記のファイル削除処理は行なわずに、「格納不可能」である旨を録画装置１に返信する。
【００５５】
録画装置１は、携帯再生装置２からの返信を受け取ると、その返信が「格納可能」であるか否かを判別し（ステップＳ２０５）、「格納不可能」であれば、ステップＳ２０１へ戻り、次の転送候補となるコンテンツを検索する。
【００５６】
録画装置１は、携帯再生装置２からの返信が「格納可能」であれば、転送対象のコンテンツデータファイルを携帯再生装置２に転送する（ステップＳ２０６）。この場合、厳密には、録画装置１のＨＤ１０４上に元のコンテンツデータファイルは残しておくので、コピー転送、すなわち通常のメモリデータの送信を行うこととなる。
【００５７】
携帯再生装置２は、録画装置１から転送されてきたコンテンツデータファイルをＨＤ２０４に格納する（ステップＳ２０７）。そして、携帯再生装置２は、コンテンツ情報ファイルをＨＤ２０４上に作成する（ステップＳ２０８）。携帯再生装置２は、このコンテンツ情報ファイルを作成する際、「エントリ番号」、「優先度」の項目の情報としてはステップＳ２０３で通知されたエントリ番号、優先度を設定し、「視聴終了状況」の項目の情報としては「視聴未終了」を設定する。
【００５８】
録画装置１は、コンテンツデータファイルを携帯再生装置２に転送した後、その転送したコンテンツのコンテンツ情報ファイルの「コンテンツ格納場所」の項目の情報を「録画装置１」から「録画装置１と携帯再生装置２」に更新して（ステップＳ２０９）、ステップＳ２０１に戻る。
【００５９】
次に、コンテンツの視聴終了の判定処理について説明する。一般的には、コンテンツの最後まで再生されたら視聴終了と判定するのが妥当である。しかし、本実施の形態では、前述のように「視聴終了」となったコンテンツは携帯再生装置２から自動的に削除するようにしているが、ユーザが携帯再生装置２でもう一度見たいと思ったり、途中まで再生した段階でそれ以上視聴する必要がないと思ったりすることも考えられるので、コンテンツの最後まで再生されたからといって自動的に「視聴終了」と判定せずに、ユーザがコンテンツの再生を終了、又は途中停止した場合、「視聴終了としますか？（Ｙ／Ｎ）」といったダイアログ等を表示し、ユーザに選択させるようにしてもよい。
【００６０】
次に、録画装置１上のコンテンツの削除について説明する。本実施の形態では、携帯再生装置２上のコンテンツの削除については、前述のように自動的に削除処理を行なっている。一方、録画装置１上のコンテンツの削除については、その削除のタイミング、削除対象のコンテンツの指定方法などについて特に限定しない。ただし、何らかの方法でユーザから削除すべきコンテンツが指定されたら、録画装置１と携帯再生装置２の接続時に行なうコンテンツの管理情報の更新処理において、以下に示すコンテンツ削除処理を行なう必要がある。
【００６１】
すなわち、録画装置１は、ユーザにより削除するように指定されたコンテンツのコンテンツデータファイル、コンテンツ情報ファイルを共に削除する。また、録画装置１は、削除対象のコンテンツ情報ファイルが別のコンテンツ情報ファイルからリンクされている場合や、別のコンテンツ情報ファイルをリンクしている場合には（連続指定で録画された場合に起こる）、そのコンテンツ情報ファイルを削除する前に、その別のコンテンツ情報ファイル上の当該削除対象のコンテンツ情報ファイルに係るリンク情報を抜き取る処理を行なう。
【００６２】
さらに、録画装置１は、削除対象のコンテンツ情報ファイルを管理するコンテンツ管理テーブルのエントリを調べ、そのコンテンツ情報ファイル１つだけがリンクされていた場合には、コンテンツ管理テーブルからそのエントリの削除処理を行なう。
【００６３】
以上説明したように、本実施の形態では、録画再生装置と携帯再生装置を接続すると、まず、録画再生装置と携帯再生装置にそれぞれに格納されているコンテンツの管理情報が最新の状態に更新され、ＴＶ番組の録画予約時に予約ごとに設定された転送方針に従って、録画再生装置に録画されているコンテンツの中から携帯再生装置に転送すべきコンテンツが選択されて転送される。
【００６４】
従って、ユーザは、所望の方針で予約録画に係るコンテンツを携帯再生装置に転送するためには、ＴＶ番組の録画予約時にその番組ごとに転送方針を指定し、必要に応じて録画再生装置と携帯再生装置を接続するだけでよく、携帯再生装置へのコンテンツの転送、入れ替えといった従来の作業は全て自動的に実行されるようになる。
【００６５】
なお、本発明は、上記の実施の形態に限定されることなく、テレビジョン番組以外のコンテンツ、例えば、インターネット上で提供される各種のコンテンツ（映画、音楽等）や特殊な周波数で放送されるラジオ番組等を携帯機器へ自動転送する場合にも適用することができる。
【００６６】
［第２の実施形態］
本発明の目的は、上記の実施形態の機能を実現するコンピュータプログラムを記録した記憶媒体を、システム或いは装置に供給し、そのシステム或いは装置のコンピュータ（またはＣＰＵやＭＰＵ等）が記憶媒体に格納されたコンピュータプログラムを読み出して実行することによっても達成される。
【００６７】
この場合、記憶媒体から読み出されたコンピュータプログラム自体が前述した実施の形態の機能を実現することになり、そのコンピュータプログラム及び該コンピュータプログラムを記憶した記憶媒体は本発明を構成することになる。
【００６８】
又、コンピュータプログラムを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、コンピュータプログラムをネットワークを介してダウンロードしてもよい。
【００６９】
また、コンピュータが読み出したコンピュータプログラムを実行することにより、上記実施の形態の機能が実現されるだけでなく、そのコンピュータプログラムの指示に基づき、コンピュータ上で稼動しているＯＳ（オペレーティングシステム）等が実際の処理の一部または全部を行い、その処理によって前述した実施形態の機能が実現される場合も含まれる。
【００７０】
更に、記憶媒体から読み出されたコンピュータプログラムが、コンピュータに挿入された機能拡張ボードやコンピュータに接続された機能拡張ユニットに備わるメモリに書き込まれた後、そのコンピュータプログラムの指示に基づき、その機能拡張ボードや機能拡張ユニットに備わるＣＰＵ等が実際の処理の一部または全部を行い、その処理によって前述した実施形態の機能が実現される場合も含まれる。
【図面の簡単な説明】
【００７１】
【図１】本発明の第１の実施形態に係る記録装置の一例である録画装置の主要な構成要素を示すブロック図である。
【図２】録画予約管理テーブルの情報を示す図である。
【図３】コンテンツ管理テーブルの情報を示す図である。
【図４】コンテンツ管理情報の更新処理を示すフローチャートである。
【図５】コンテンツの自動転送処理を示すフローチャートである。
【符号の説明】
【００７２】
１…録画装置
２…携帯再生装置
３…通信ケーブル
１０１，２０１…ＣＰＵ
１０２，２０２…ＲＯＭ
１０３，２０３…ＲＡＭ
１０４，２０４…ＨＤ
１０６，２０６…通信装置
１１１…入力デバイス
１１２…チューナユニット
１１３…キャプチャユニット
【図１】
2006197512.tif 000003
【図２】
2006197512.tif 000004
【図３】
2006197512.tif 000005
【図４】
2006197512.tif 000006
【図５】
2006197512.tif 000007